(57)【要約】【課題】経験や勘に頼ることなく効率的に定量の計量作業が行えるようにする。【解決手段】被計量物を所定重量範囲に対して少な目に秤に載せることにより、表示ユニット２０ａ〜２０ｃのランプ２２ａ〜２２ｃの点灯によって所定重量範囲にするのに追加すべき被計量物が、重量ランクと相対重量ランクによって指示される。作業者は、指示された重量ランクの被計量物の中から指示された相対重量ランクの被計量物を選択して加えることで、所定重量範囲となる被計量物の組合せが完成する。また、指示した相対重量ランクより軽め、または、重めの被計量物が繰返し選択されるような場合には、相対重量ランクで指示する際に、相対重量ランクを重い方、または 、軽い方のランクに変更して指示するようにしている。【選択図】図１
2014102174.tif 000002
【特許請求の範囲】
【請求項１】
被計量物が載置される載置部を有し、該載置部に載置される被計量物の重量を計量する計量装置であって、
被計量物の複数の重量ランク及び各重量ランクの重量範囲を含むランク情報が、予め記憶される記憶部と、
複数個の前記被計量物の重量を合計した目標重量及び許容値を含む設定情報が設定される設定部と、
前記載置部に載置された被計量物の重量、前記設定情報及び前記ランク情報に基づいて、前記載置部に載置された被計量物の重量が、前記目標重量及び前記許容値で規定される所定重量範囲に達していないときに、指示手段を制御して、前記載置部に追加すべき被計量物を、前記重量ランク及び該重量ランクにおける相対的な重量に対応する相対重量ランクで指示する制御部とを備え、
前記制御部は、前記重量ランク及び前記相対重量ランクによる前記追加すべき被計量物の指示によって、被計量物が載置部に追加された場合に該載置部の被計量物の重量が、前記所定重量範囲に達しなかった回数を計数し、計数した回数が所定回数以上になったときには、追加すべき被計量物を前記重量ランク及び前記相対重量ランクで指示する際に、前記相対重量ランクを重い方のランクに変更して指示する、
ことを特徴とする計量装置。
【請求項２】
前記制御部は、前記重量ランク及び前記相対重量ランクによる前記追加すべき被計量物の指示によって、被計量物が載置部に追加された場合に該載置部の被計量物の重量が、前記所定重量範囲を超えた回数を計数し、計数した回数が所定回数以上になったときには、追加すべき被計量物を前記重量ランク及び前記相対重量ランクで指示する際に、前記相対重量ランクを軽い方のランクに変更して指示する、
請求項１に記載の計量装置。
【請求項３】
前記追加すべき被計量物が１個であり、
前記制御部は、前記相対重量ランクを前記変更して指示するときに、前記相対重量ランクを１ランク変更して指示する、
請求項１または２に記載の計量装置。
【請求項４】
前記制御部は、前記指示手段を制御して、前記追加すべき被計量物を、該追加すべき被計量物の重量に所定重量を加算した加算重量に基づいて、前記重量ランク及び前記相対重量ランクで指示する、
請求項３に記載の計量装置。
【請求項５】
前記複数の重量ランクの前記被計量物が、複数の容器に重量ランク毎にそれぞれ収納され、
前記指示手段は、前記複数の各容器に個別的に対応して配置される複数の表示ユニットを備え、該表示ユニットは、前記追加すべき被計量物の前記相対重量ランクを表示する表示部を有し、
前記制御部は、前記指示手段を制御して、前記追加すべき被計量物の重量ランクに対応する前記表示ユニットによって、追加すべき被計量物の重量ランクを指示すると共に、その相対重量ランクを指示する、
請求項１ないし４のいずれかに記載の計量装置。
【請求項６】
前記請求項１ないし５のいずれかに記載の計量装置と、該計量装置に接続される前記指示手段とを備える、
ことを特徴とする計量システム。
【発明の詳細な説明】
【技術分野】
【０００１】
本発明は、被計量物の重量を計量する計量装置及びそれを用いた計量システムに関し、更に詳しくは、複数個の被計量物の合計重量が定量となるように袋詰めなどを行う場合に好適な計量装置及び計量システムに関する。
【背景技術】
【０００２】
従来、スーパーマーケットなどの小売店においては、箱詰めで仕入れた農産物等の物品を、店頭で販売するために小分け、例えば、数個で何ｋｇといったように定量の袋詰め作業が行われている。
【０００３】
かかる袋詰め作業においては、多数個の物品のうちから何個かの物品を取り出して一台の秤に載せて、定量になる物品の組合せを選ぶのであるが、例えば、最後に載せる物品の重さによっては、なかなか定量とならず、経験や勘に基づいて、他の物品と載せ替えて何度も計量を繰り返す場合が多く、計量に大変な手間がかかるという問題がある。
【０００４】
このため、一定重量の物品を取り出すための組合せ計量システムとして、特許文献１には、組合せ秤用棚が開示されている。この組合せ秤用棚は、格子状に配列された収納部を有しており、それぞれの収納部は、被計量物が収納されたことを検知する収納検知センサと、選択された収納部であるか否かを表示する表示部とを備えている。
【０００５】
使用時には、まず、被計量物の重量が計量部により計量される。計量された被計量物は、各収納部に一時的に収納される。制御部は、各収納部に収納された被計量物の重量を使って組合せ演算を行い、合計重量が所定の条件を満たすような収納部の組合せを選択し、選択された収納部の表示部にその旨を表示する。作業者は、表示がされた収納部の被計量物を集めて袋に入れることで、一定重量の袋詰めを作成することができる。
【先行技術文献】
【特許文献】
【０００６】
【特許文献１】実開平７−４２４８７号公報
【発明の概要】
【発明が解決しようとする課題】
【０００７】
しかしながら、特許文献１の従来の構成では、被計量物が一個あるいは一単位ずつ収納部に収納されるため、被計量物を取り出す毎に新たに被計量物を収納部に入れ直す必要がある。このように、作業者は、被計量物を収納部に一旦収納し、収納した被計量物を収納部から取り出さなければならず、作業効率が悪いという課題がある。
【０００８】
そこで、本件出願人は、経験や勘に頼ることなく効率的な定量の計量作業を行えるようにする技術を、例えば、平成２４年４月２７日提出の特願２０１２−１０２５１１号「計量装置及び計量システム」（以下「先願」という）として既に提案している。
【０００９】
この先願に開示している実施形態の一例では、定量の袋詰め作業において、予め重量範囲が既知の複数の重量ランク、例えば、「Ｓ」，「Ｍ」，「Ｌ」の各重量ランクの被計量物が収容された容器を準備しておき、定量よりも少な目となるように被計量物を秤に載せ、定量にするために、追加すべき被計量物を、前記重量ランクと、その重量ランクにおける相対的な重量の大きさに対応するサイズ、例えば、「大」，「中」，「小」で指示する。追加すべき被計量物を、例えば、重量ランク「Ｓ」の「中」として指示すると、作業者は、重量ランク「Ｓ」の容器の被計量物からサイズが「中」と判断する被計量物を選択して秤に載せ、これによって、定量とするものである。
【００１０】
この先願によれば、定量よりも少な目となる被計量物を大まかに載せ、定量にするために、追加すべき被計量物の重量ランクと、その重量ランクにおける相対的な重量に対応するサイズとが指示されるので、作業者は、指示に従って対応する容器から被計量物を選択して秤に載せればよく、経験や勘によらず、追加すべき被計量物を容易に選択して定量にすることができ、作業効率が向上する。
【００１１】
しかしながら、この先願では、追加すべき被計量物を、重量ランクにおける相対的な重量の大きさ、例えば、「大」，「中」，「小」で指示するために、作業者によっては、指示とは異なるサイズの被計量物を選択する虞がある。すなわち、作業者によっては、「大」，「中」．「小」のサイズの判断が小さめ（軽め）になったり、逆に、大きめ（重め）になったりする場合があり、このため、例えば、「中」を指示しているにも関らず、作業者によっては、「中」に近い「小」を選択したり、逆に、「中」に近い「大」を選択する場合がある。
【００１２】
このように、指示とは異なるサイズの被計量物が選択されて秤に載せられると、定量とはならず、被計量物の載せ替えが必要となるが、かかる被計量物の載せ替えが繰り返されると、作業効率が低下することになる。このような作業者の特性による作業効率の低下を改善することが望まれる。
【００１３】
本発明は、上述のような点に鑑みてなされたものであって、経験や勘に頼ることなく効率的な定量の計量作業が行えるようすることを目的とする。
【課題を解決するための手段】
【００１４】
上記目的を達成するために、本発明では次のように構成している。
【００１５】
（１）本発明の計量装置は、被計量物が載置される載置部を有し、該載置部に載置される被計量物の重量を計量する計量装置であって、被計量物の複数の重量ランク及び各重量ランクの重量範囲を含むランク情報が、予め記憶される記憶部と、複数個の前記被計量物の重量を合計した目標重量及び許容値を含む設定情報が設定される設定部と、前記載置部に載置された被計量物の重量、前記設定情報及び前記ランク情報に基づいて、前記載置部に載置された被計量物の重量が、前記目標重量及び前記許容値で規定される所定重量範囲に達していないときに、指示手段を制御して、前記載置部に追加すべき被計量物を、前記重量ランク及び該重量ランクにおける相対的な重量に対応する相対重量ランクで指示する制御部とを備え、前記制御部は、前記重量ランク及び前記相対重量ランクによる前記追加すべき被計量物の指示によって、被計量物が載置部に追加された場合に該載置部の被計量物の重量が、前記所定重量範囲に達しなかった回数を計数し、計数した回数が所定回数以上になったときには、追加すべき被計量物を前記重量ランク及び前記相対重量ランクで指示する際に、前記相対重量ランクを重い方のランクに変更して指示する。
【００１６】
前記ランク情報には、前記重量ランク及び該重量ランクの重量範囲に加えて、被計量物の品名等を含めてもよい。
【００１７】
重量ランクにおける相対的な重量に対応する相対重量ランクとは、当該重量ランクの重量範囲における相対的な重量の大きさのランクをいい、例えば、前記重量範囲を三つに区分した場合の、重い、中程度（普通）、軽いという相対的な三つの重量ランクであったり、あるいは、前記重量範囲を五つに区分した場合の、非常に重い、重い、中程度（普通）、軽い、非常に軽いという相対的な五つの重量ランクなどをいう。この場合、計量作業を行う作業者に理解しやすいように、重量はサイズ（大きさ）に比例するので、例えば、重い、中程度（普通）、軽いといった相対重量ランクを、「大」、「中」、「小」のサイズとして指示するのが好ましい。
【００１８】
前記載置部に追加すべき被計量物の前記重量ランク及び前記相対重量ランクによる指示は、追加すべき被計量物の重量が、どの重量ランクのどの相対重量ランクに属するかに応じて、その属する重量ランク及び相対重量ランクで指示するのが好ましい。
【００１９】
相対重量ランクは、重量ランクにおける相対的な重量に対応するものであり、例えば、上述のように、重量ランクの重量範囲を三つに区分した場合には、「大」、「中」、「小」の三つの相対重量ランクとなる。相対重量ランクの、例えば、「大」を、重い方のランクへ変更しようとすると、当該重量ランクの重量範囲を超えることになるので、当該重量ランクよりも重い次の重量ランク及びその重量ランクにおける相対重量ランクに変更することになる。例えば、重量ランク「Ｓ」の相対重量ランク「大」を、重い方へ１ランク変更すると、重量ランク「Ｓ」よりも重い重量ランク「Ｍ」の相対重量ランク「小」となる。
【００２０】
当該計量装置は、指示手段を備える構成としてもよいし、指示手段を計量装置とは別個に設けてもよく、この場合、計量装置の制御部が指示手段を制御できるように、計量装置と指示手段とを有線、または、無線で接続するのが好ましい。
【００２１】
指示手段は、追加すべき被計量物を指示できればよく、例えば、表示灯の点灯や表示部の表示によって指示してもよいし、音声によって指示してもよく、それらを組合せて指示するようにしてもよい。
【００２２】
所定回数は、固定値としてもよいし、例えば、設定部などから設定できる設定値としてもよい。
【００２３】
本発明の計量装置によると、作業者が、被計量物を目標重量に対して少な目に載置部に載置すると、指示手段によって、目標重量及び許容値で規定される所定重量範囲にするために、追加すべき被計量物の重量ランクが指示されると共に、その重量ランクにおける被計量物の重量が相対的に、例えば、「大」、「中」、「小」といったような相対重量ランクで指示される。
【００２４】
これによって、作業者は、指示された重量ランクの被計量物の内から指示された相対重量の被計量物を目視で選択して載置部に追加することで、所定重量範囲に達した被計量物の組合せを完成し、この被計量物の組合せを袋詰め等すればよい。
【００２５】
このように、複数個の被計量物の重量が所定重量範囲になるように、追加すべき被計量物の重量ランクと、その重量ランクにおける相対重量ランクが指示されるので、作業者は、目標重量に対して少な目の被計量物を大まかに載置部に載置し、指示された重量ランクであって、指示された相対重量の被計量物を選択して載置部に載置するだけでよい。したがって、作業者自らが、追加すべき被計量物の重量ランクやその重量ランクでの大きさを判断する必要がなく、経験や勘によらず、追加すべき被計量物を容易に選択して所定重量範囲となる被計量物の組合せを完成させることができ、作業効率が向上する。
【００２６】
相対重量ランク、例えば、「大」、「中」、「小」といった相対重量ランクで指示すると、作業者によっては、指示された相対重量ランクよりは軽めの被計量物を選択し、所定重量範囲に達しない場合がある。かかる場合には、被計量物の載せ替えが必要となり、この載せ替えが繰り返されると、作業効率が低下することになる。
【００２７】
本発明の計量装置によると、重量ランク及び相対重量ランクによって追加すべき被計量物を指示したにも関らず、実際に追加された被計量物を含む被計量物の重量が所定重量範囲に達しない回数が、所定回数になると、すなわち、指示した相対重量ランクより軽めの被計量物の追加が繰り返されるような場合には、作業者は、指示した相対重量ランクよりも軽めの相対重量ランクの被計量物を選択する傾向があるとして、追加すべき被計量物を、相対重量ランクで指示する際に、相対重量ランクを重い方のランクに変更して指示するので、指示された相対重量ランクに比べて軽めの相対重量ランクの被計量物を選択する作業者であっても、被計量物を選択して追加することによって、所定重量範囲の被計量物の組合せとすることができ、載せ替えの回数が低減されて作業効率が向上する。
【００２８】
（２）本発明の計量装置の好ましい実施態様では、前記制御部は、前記重量ランク及び前記相対重量ランクによる前記追加すべき被計量物の指示によって、被計量物が載置部に追加された場合に該載置部の被計量物の重量が、前記所定重量範囲を超えた回数を計数し、計数した回数が所定回数以上になったときには、追加すべき被計量物を前記重量ランク及び前記相対重量ランクで指示する際に、前記相対重量ランクを軽い方のランクに変更して指示する。
【００２９】
この実施態様によると、重量ランク及び相対重量ランクによって追加すべき被計量物を指示したにも関らず、実際に追加された被計量物を含む被計量物の重量が所定重量範囲を超えた回数が、所定回数になると、すなわち、指示した相対重量ランクよりも重めの被計量物の追加が、繰り返されるような場合には、作業者は、指示した相対重量ランクよりも重めの相対重量ランクの被計量物を選択する傾向があるとして、追加すべき被計量物を、相対重量ランクで指示する際に、相対重量ランクを軽い方のランクに変更して指示するので、指示された相対重量ランクに比べて重めの相対重量ランクの被計量物を選択する作業者であっても、被計量物を追加することによって、所定重量範囲の被計量物の組合せとすることができ、載せ替えの回数が低減されて作業効率が向上する。
【００３０】
（３）本発明の計量装置の別の実施態様では、前記追加すべき被計量物が１個であり、前記制御部は、前記相対重量ランクを前記変更して指示するときに、前記相対重量ランクを１ランク変更して指示する。
【００３１】
前記制御部は、載置部に載置されている被計量物に、前記複数の重量ランクのいずれかの重量ランクの被計量物の１個を追加することによって、所定重量範囲に達するときに、追加すべき前記１個の被計量物を、前記指示手段を制御して、その重量ランク及び相対重量ランクによって指示する。
【００３２】
制御部は、載置部に載置されている被計量物の重量と所定重量範囲の下限値である目標重量とに基づいて、追加すべき被計量物の重量を求めることができる。すなわち、目標重量から載置部に載置されている被計量物の重量を差し引くことによって、追加すべき被計量物の重量を求めることができる。
【００３３】
また、この追加すべき被計量物の重量と、予め記憶されている被計量物の複数の重量ランク及び各重量ランクの重量範囲とに基づいて、追加すべき被計量物が１個でよいか否かを判断することができるので、追加すべき被計量物が１個になったときに、その１個の被計量物を、その重量ランク及び相対重量ランクで指示することができる。
【００３４】
なお、追加すべき被計量物が２個以上であるときには、例えば、その２個以上の各被計量物の重量ランクと相対重量ランクをそれぞれ指示するようにしてもよいし、あるいは、追加すべき被計量物が１個になるまでは、例えば、最も重い重量ランクの被計量物を１個ずつ追加するように指示してもよい。
【００３５】
この実施態様によると、作業者は、目標重量よりも少な目、好ましくは、目標重量に被計量物１個分足りない程度の被計量物を載置部に載置すればよく、これによって、追加すべき１個の被計量物の重量ランクが指示されると共に、該重量ランクにおける相対重量ランク、例えば、「大」、「中」、「小」が指示されるので、その指示に従って１個の被計量物を選択して追加するだけで所定重量範囲となる被計量物の組合せを完成させることができる。
【００３６】
更に、指示した相対重量ランクよりも軽めの被計量物、あるいは、重めの被計量物の追加が繰り返されるような場合には、追加すべき被計量物を、相対重量ランクで指示する際に、相対重量ランクを重い方または軽い方に１ランク変更して指示するので、指示された相対重量ランクよりも軽め、あるいは、重めの被計量物を選択する作業者に関わらず、被計量物を１個追加することによって、所定重量範囲の被計量物の組合せとすることができ、被計量物の載せ替えの回数を低減することができ、作業効率が向上する。
【００３７】
（４）上記（３）の実施態様では、前記制御部は、前記指示手段を制御して、前記追加すべき被計量物を、該追加すべき被計量物の重量に所定重量を加算した加算重量に基づいて、前記重量ランク及び前記相対重量ランクで指示するようにしてもよい。
【００３８】
被計量物の重量に加算する所定重量は、目標重量を下限値とし、所定重量範囲の上限値を規定する許容値の重量幅以内、例えば、許容値が１０ｇであれば、１０ｇ以内であるのが好ましく、その重量幅の１／２程度の重量であるのが更に好ましい。
【００３９】
追加すべき１個の被計量物の重量は、その被計量物を載置部に追加することによって、載置部に載置される被計量物の合計重量が、所定重量範囲の下限値である目標重量となるように求められ、その求められた重量に基づいて、追加すべき被計量物を、重量ランク及び相対重量ランクで指示する。
【００４０】
すなわち、１個の被計量物を追加することによって、所定重量範囲の下限値である目標重量になるように、追加すべき被計量物の重量ランク及び相対重量ランクが指示される。したがって、指示された被計量物よりも少しでも軽めの被計量物が選択されて追加されると、所定重量範囲の下限値である目標重量に達しないことになり、この場合は、被計量物の載せ替えが必要となり、作業効率が低下することになる。
【００４１】
この実施態様によると、追加すべき１個の被計量物の重量に所定重量を加算した加算重量に基づいて、追加すべき被計量物の重量ランク及び相対重量ランクを指示するので、指示された被計量物を追加すると、所定重量範囲の下限値である目標重量ではなく、該目標重量に前記所定重量を加算した重量となる。したがって、指示された被計量物よりも軽めの被計量物が選択されて追加されても、所定重量範囲の下限値である目標重量を下回るのが抑制されることになり、これによって、被計量物の載せ替えの回数を低減して作業効率を向上させることができる。
【００４２】
（５）本発明の他の実施態様では、前記複数の重量ランクの前記被計量物が、複数の容器に重量ランク毎にそれぞれ収納され、前記指示手段は、前記複数の各容器に個別的に対応して配置される複数の表示ユニットを備え、該表示ユニットは、前記追加すべき被計量物の前記相対重量ランクを表示する表示部を有し、前記制御部は、前記指示手段を制御して、前記追加すべき被計量物の重量ランクに対応する前記表示ユニットによって、追加すべき被計量物の重量ランクを指示すると共に、その相対重量ランクを指示する。
【００４３】
容器は、被計量物を入れるものであればよく、例えば、箱、袋、トレイ、コンテナなどであってもよい。
【００４４】
複数の各容器には、複数の重量ランク毎に被計量物が収納されているので、例えば、被計量物が重量ランク毎に箱詰されたものをそのまま容器として使用してもよいし、前記箱詰された被計量物を移し替えてもよい。
【００４５】
この実施態様によると、指示手段は、各重量ランクの被計量物がそれぞれ収納された容器に対応してそれぞれ配置される複数の表示ユニットを備えているので、表示ユニットの表示によって、対応する容器を指示する、したがって、追加すべき被計量物の重量ランクを指示することができ、また、表示ユニットは、被計量物の相対重量ランクを表示する表示部を有しているので、この表示によって、追加すべき被計量物の相対重量ランクを指示することができる。
【００４６】
（６）本発明計量システムは、本発明の計量装置と、該計量装置に接続される前記指示手段とを備える。
【００４７】
本発明の計量システムによれば、作業者は、所定重量範囲に対して少な目の被計量物を大まかに載置部に載置し、指示手段によって指示された重量ランク及び相対重量ランクの被計量物を選択して載置部に載置するだけで、所定重量範囲となる被計量物の組合せを完成させることができ、経験や勘に頼ることなく、計量作業を効率的に行うことができる。
【００４８】
また、指示された相対重量ランクよりも軽めの被計量物を選択しがちな作業者に対しては、相対重量ランクを、重めに変更して指示するので、作業者の特性による作業効率の低下を抑制することができる。
【発明の効果】
【００４９】
このように、本発明によれば、被計量物を所定重量範囲に対して少な目に載置部に載置すると、所定重量範囲にするために、追加すべき被計量物が、その重量ランク及び相対重量ランクで指示されるので、作業者は、指示された重量ランク及び相対重量ランクの被計量物を目視で選択して載置部に追加することで、所定重量範囲に達した被計量物の組合せが完成する。したがって、作業者の経験や勘に頼ることなく、所定重量範囲に達する被計量物の組合せを容易に完成させることができ、作業効率が向上する。
【００５０】
また、被計量物の追加の指示に対して、実際は、指示よりも軽めの被計量物が追加されることが繰り返されるような場合には、追加すべき被計量物の相対重量ランクを重い方のランクに変更して指示するので、被計量物の載せ替えの回数を減らして作業効率を向上させることができる。
【図面の簡単な説明】
【００５１】
【図１】本発明の一実施形態に係る計量システムのブロック図である。
【図２】本発明の実施形態に係る計量装置としての電子秤の斜視図である。
【図３】本発明の実施形態に係る指示手段としての表示ユニットの正面図(ａ)、平面図(ｂ)、側面図(ｃ)である。
【図４】本発明の実施形態に係る表示ユニットの取り付け状態を示す斜視図である。
【図５】本発明の実施形態に係る表示ユニットの使用状態を示す斜視図である。
【図６】本発明の実施形態に係る計量処理のフローチャートである。
【図７】本発明の実施形態に係る計量処理のフローチャートである。
【発明を実施するための形態】
【００５２】
以下、本発明の実施形態を図面に基づいて詳細に説明する。
【００５３】
図１は、本発明の一実施形態に係る計量装置を備える計量システムのブロック図である。
【００５４】
この実施形態の計量システムは、農産物や海産物等の物品を、定量で小分けに袋詰め等する際に好適である。
【００５５】
この計量システムは、計量装置としての電子秤１０と、後述のように選択すべき被計量物を指示する指示手段としての複数、この例では３つの表示ユニット２０ａ〜２０ｃを備えている。
【００５６】
電子秤１０は、被計量物を計量する計量部１１、各部を制御すると共に、演算処理を行なう制御部１２と、重量ランク等のランク情報や設定情報等が記憶される記憶部１３と、目標重量及び許容値等を設定する設定入力部１４と、計量した重量値、目標値までの重量値や作業者に対する指示等を表示する表示部１５と、コネクタ１９とを備えている。
【００５７】
制御部１２は、演算部１６と、表示ユニット２０ａ〜２０ｃを制御して選択すべき被計量物を指示する指示制御部１７と、表示部１５を制御する表示制御部１８とを備えている。各表示ユニット２０ａ〜２０ｃは、点灯回路２１ａ〜２１ｃ及びランプ２２ａ〜２２ｃを備える。
【００５８】
図２は、この実施形態の電子秤１０の外観斜視図である。
【００５９】
この電子秤１０は、本体ケース３０を備え、上部に被計量物が載置される載置部としての計量皿３１を備えている。本体ケース３０内には、上述の制御部１２、記憶部１３の他、計量皿３１に連結されて演算部１６に荷重信号を出力するロードセル等の荷重センサが内蔵されている。本体ケース３０の前面には、各種の操作ボタンからなる設定入力部１４、液晶ディスプレイからなる表示部１５が設けられており、計量皿３１及びロードセル等によって計量部１１が構成される。
【００６０】
図３は、上記表示ユニット２０ａ〜２０ｃを示すものであり、同図（ａ）は正面図、同図（ｂ）は平面図、同図（ｃ）は側面図である。
【００６１】
各表示ユニット２０ａ〜２０ｃは、同一構成であり、この図３及び後述の図４では、表示ユニット２０ａ〜２０ｃを代表的に表示ユニット２０として示している。
【００６２】
図３に示すように、表示ユニット２０は、ケース２３を備えており、このケース２３内には、点灯回路２１等が内蔵されており、ケース２３の前面に第１ＬＥＤ２４、第２ＬＥＤ２５、第３ＬＥＤ２６の３個で１組のランプ２２が設けられている。ＬＥＤ２４，２５，２６はそれぞれが赤青緑の３色ＬＥＤである。点灯回路２１は、電子秤１０からの点灯信号により、第１ＬＥＤ２４、第２ＬＥＤ２５、第３ＬＥＤ２６の内、いずれか１つのＬＥＤを点灯する。また、ケース２３の後面には取り付け用のクリップ２７が設けられている。
【００６３】
図４は、表示ユニット２０の取り付け状態を示す斜視図である。
【００６４】
表示ユニット２０は、箱４０に取り付けられ、この箱４０には、後述するランク分けされた被計量物が収納される。表示ユニット２０は、箱４０の任意の壁面の上端に、上方からクリップ２７にて当該壁を挟むようにして着脱可能に取付けられる。また、表示ユニット２０は、図示しない信号線を介して電子秤１０のコネクタ１９に接続される。
【００６５】
次に、この実施形態の計量システムについて、具体例を挙げて説明する。
【００６６】
ここでは、Ｓ，Ｍ，Ｌの各重量ランクにランク分けされて箱詰めされた被計量物、例えば、Ｓ，Ｍ，Ｌの各重量ランクの馬鈴薯の箱詰めを仕入れ、それを小分けにして、複数個の馬鈴薯の定量の袋詰めを作成する場合に適用して説明する。
【００６７】
箱詰めの馬鈴薯の各重量ランクＳ，Ｍ，Ｌの重量範囲は、予め決まっており、各重量ランクＳ，Ｍ，Ｌ及びその重量範囲は、後述のランク情報として、電子秤１０に設定されて記憶部１３に記憶される。この実施形態では、重量ランクＳの下限重量値と重量ランクＬの上限重量値との間の重量範囲が、３つの重量ランクＳ，Ｍ，Ｌによって連続するように重量ランクが規定されている。また、この実施形態では、各重量ランクＳ，Ｍ，Ｌの各重量範囲を、等しく三つにそれぞれ区分し、被計量物の重量値が、区分された三つの重量範囲のいずれに属するかによって、「大」、「中」、「小」の相対的な重量ランクで指定できるようしている。このため、電子秤１０には、重量範囲の区分数、この例では、三つが設定される。
【００６８】
先ず、袋詰め作業の準備として、図５に示すように、仕入れた箱詰めのＳ，Ｍ．Ｌの馬鈴薯を移し替えるために、各重量ランク用に３つの箱４０ａ，４０ｂ，４０ｃを準備し、Ｓ用の箱４０ａには重量ランクＳの箱詰めの馬鈴薯を移し替え、Ｍ用の箱４０ｂには重量ランクＭの箱詰めの馬鈴薯を移し替え、Ｌ用の箱４０ｃには重量ランクＬの箱詰め馬鈴薯を移し替える。
【００６９】
各箱４０ａ，４０ｂ，４０ｃには、それぞれ表示ユニット２０ａ，２０ｂ，２０ｃが取付けられる。各表示ユニット２０ａ，２０ｂ，２０ｃは、信号線を介して電子秤１０のコネクタ１９の所定のポートに接続する。コネクタ１９は、各種被計量物のランク分けの数に対応できるように十分な数のポートを有しており、これらポートのうちから、Ｓ，Ｍ，Ｌの馬鈴薯用の各ポートを設定し、表示ユニット２０ａはＳ用のポートに、表示ユニット２０ｂはＭ用のポートに、表示ユニット２０ｃはＬ用のポートにそれぞれ接続する。
【００７０】
また、各表示ユニット２０ａ，２０ｂ，２０ｃのランプ２２ａ，２２ｂ，２２ｃにおける各第１ＬＥＤ２４ａ，２４ｂ，２４ｃは、そのランクの重量範囲を前記三つに区分した場合に、重量が相対的に小さい（軽い）ことを示す相対重量ランク「小」、各第２ＬＥＤ２５ａ，２５ｂ，２５ｃは、重量が相対的に中程度であることを示す相対重量ランク「中」、各第３ＬＥＤ２６ａ，２６ｂ，２６ｃは、重量が相対的に大きい（重い）ことを示す相対重量ランク「大」であることを予め作業者との間で取り決めておく。すなわち、箱４０ａに入っているＳサイズの馬鈴薯は一定の重量範囲内にあり、この重量範囲内の馬鈴薯の内、第１ＬＥＤ２４ａは作業者の主観で小さいと判断するもの、第２ＬＥＤ２５ａは中程度と判断するもの、第３ＬＥＤ２６ａは大きいと判断するものを指示することになる。
【００７１】
同様に、第１ＬＥＤ２４ｂ、第２ＬＥＤ２５ｂ、第３ＬＥＤ２６ｂは、箱４０ｂの中の重量ランクＭの馬鈴薯の内、それぞれ相対重量ランク「小」，「中」，「大」と判断するもの、第１ＬＥＤ２４ｃ、第２ＬＥＤ２５ｃ、第３ＬＥＤ２６ｃは、箱４０ｃの中の重量ランクＬの馬鈴薯の内、それぞれ相対重量ランク「小」，「中」，「大」と判断するものを指示することになる。
【００７２】
次に、図６のフローチャートに基づいて、計量作業について説明する。
【００７３】
下準備として、設定入力部１４を操作して設定情報として目標重量及び許容値を入力しておく。この目標重量及び許容値によって、所定重量範囲が規定される。具体的には、目標重量を所定重量範囲の下限値とし、この下限値に許容値を加えた値が、所定重量範囲の上限値となる。例えば目標重量が１０００ｇで許容値が５０ｇとすると、所定重量範囲は、１０００ｇ〜１０５０ｇとなる。
【００７４】
図６のステップＳ１では、作業者は、目標重量よりも少な目、好ましくは、９割程度の被計量物、例えば目標重量が１０００ｇであれば、９００ｇ程度、例えば、Ｍサイズの１個の馬鈴薯の重量が、１００ｇ前後であれば、９個程度の馬鈴薯を、例えば、袋に入れた状態で計量皿３１に載置する。
【００７５】
ステップＳ２では、計量皿３１に載置されて計量された９個程度の馬鈴薯の重量が、所定重量範囲の上限及び下限に入っているか否かの上下限の判別を行う。
【００７６】
この上下限の判別によって、計量皿３１に載置されている被計量物の重量が、所定重量範囲内に入っていれば、「適量」と判定されて計量完了となり（ステップＳ３）、１つの袋詰めが完了する。
【００７７】
また、上下限判別によって、計量皿３１に載置されている被計量物の重量が、所定重量範囲の上限値を上回っているときには、「過量」と判定され（ステップＳ５）、ステップＳ１２へ移り、例えば、表示部１５に載せ替えの指示が表示されるので、作業者は、例えば直前に載せた馬鈴薯１個を計量皿３１から降ろし、ステップＳ１へ戻って再計量する。
【００７８】
また、上下限判別によって、計量皿３１に載置されている被計量物の重量が、所定重量範囲の下限値を下回っているときには、「軽量」と判定され（ステップＳ４）、所定重量範囲の下限値（目標重量）から計量皿３１に載置されている被計量物の重量である負荷重量を減算して、所定重量範囲とするために追加すべき馬鈴薯の重量Ａ(=下限値−負荷重量)を算出し（ステップＳ６）、ステップＳ７に移る。
【００７９】
ステップＳ７では、算出した重量Ａが、最大重量ランクの最大値以内、すなわち、馬鈴薯の各重量ランクＳ，Ｍ，Ｌのうち、最も重い重量ランクＬの重量範囲の最大値以内であるか否かを判断する。すなわち、所定重量範囲とするために追加すべき馬鈴薯が残り１個であるか否かを判断する。最大値以内でないとき、すなわち、残り１個でないときには、馬鈴薯を1個追加するための追加表示を、例えば表示部１５にて行い、作業者は、馬鈴薯を１個追加してステップＳ１に戻って再計量する。追加する馬鈴薯の重量ランクは、特にこだわらないが、例えば重量ランクＬの馬鈴薯を１個加えるのが好ましい。なお、表示部１５による追加表示に代えて、あるいは、表示部１５による追加表示と共に、表示ユニット２０を用いて、加える馬鈴薯を後述と同様にして指示してもよい。
【００８０】
ステップＳ７で、当該最大値以内である場合には、最大値以内の被計量物を１個追加すれば、所定重量範囲に到達できることになり、ステップＳ８に移る。
【００８１】
ステップＳ８では、算出した重量Ａに、所定重量範囲の上限値を規定する許容値を加えた値が、最も軽い重量ランクＳの重量範囲の最小値より大きいか否かを判断する。当該最小値より大きくない場合は、最も軽い馬鈴薯を１個追加しても所定重量範囲の上限を超えてしまうとして、ステップＳ１２へ移り、例えば、表示部１５に載せ替えの指示が表示されるので、作業者は、例えば直前に載せた馬鈴薯１個を計量皿３１から降ろし、ステップＳ１へ戻って再計量する。
【００８２】
ステップＳ８で、当該最小値より大きい場合にはステップＳ９へ移り、重量Ａに、最も軽い重量ランクＳの重量範囲の下限値の１０％の重量を所定重量として加えた重量を、所定重量範囲にするために追加すべき馬鈴薯の重量とし、ステップＳ１０へ移る。
【００８３】
重量ランクＳの下限値が、例えば、５０ｇとすると、その１０％である５ｇが、重量Ａに加算され、この加算された重量（Ａ＋５）ｇが、所定重量範囲にするために追加すべき馬鈴薯１個の重量となる。
【００８４】
このように重量Ａに所定重量を加算した重量、例えば、（Ａ＋５）ｇを、追加すべき馬鈴薯の重量とするのは、次のような理由による。
【００８５】
重量Ａは、上述のステップＳ６のように、所定重量範囲の下限値である目標重量から計量皿３１に載置されている馬鈴薯の重量である負荷重量を減算した値である。したがって、重量Ａの馬鈴薯の１個を追加すると、所定重量範囲の下限値に達することになる。この追加する馬鈴薯１個の重量が、僅かでも重量Ａを下回っていると、所定重量範囲の下限値に達しないことになり、馬鈴薯の載せ替えが必要となり、作業効率が低下する。
【００８６】
そこで、重量Ａに所定重量を加算した加算重量を、追加すべき馬鈴薯１個の重量としておくことによって、追加した馬鈴薯１個の重量が、前記加算重量を多少下回っても、所定重量範囲となって、馬鈴薯の載せ替えの必要がなくなり、作業効率が向上するからである。
【００８７】
次に、ステップＳ１０では、ステップＳ９で算出した追加すべき馬鈴薯の重量に基づいて、重量ランク及び相対重量ランクを算出する。すなわち、追加すべき馬鈴薯の重量が、重量ランクＳ，Ｍ，Ｌのいずれの重量ランクに属し、その重量ランクにおいて、「大」，「中」，「小」のいずれの相対重量ランクに属するかを求める。
【００８８】
次にステップＳ１１では、求めた重量ランク及び相対重量ランクを指示するために図７に示される処理に移り、その後、ステップＳ１に戻って次の計量処理に移る。
【００８９】
図７は、図６のステップＳ１１の重量ランク及び相対重量ランクを指示する処理の詳細を示すフローチャートである。
【００９０】
追加すべき馬鈴薯１個の重量ランク及び相対重量ランクが求まると、ステップＳ１３では、その重量ランク及び相対重量に対応する表示ユニット２０のランプを点灯させてランクを指示する。
【００９１】
追加すべき最後の１個の馬鈴薯が、例えば、重量ランクが「Ｓ」であって、その重量範囲の「小」に該当する場合、すなわち、相対重量ランクが「小」である場合には、Ｓ用の箱４０ａに取り付けられた表示ユニット２０ａの点灯回路２１ａに対して、「小」を指示する第１ＬＥＤ２４ａを点灯させ、その他のＬＥＤは全て消灯状態のままとする。
【００９２】
同様に、最後の１個が「Ｓ」「中」、「Ｓ」「大」、「Ｍ」「小」、「Ｍ」「中」、「Ｍ」「大」、「Ｌ」「小」、「Ｌ」「中」、「Ｌ」「大」の場合には、第２ＬＥＤ２５ａ、第３ＬＥＤ２６ａ、第１ＬＥＤ２４ｂ、第２ＬＥＤ２５ｂ、第３ＬＥＤ２６ｂ、第１ＬＥＤ２４ｃ、第２ＬＥＤ２５ｃ、第３ＬＥＤ２６ｃをそれぞれ点灯させる。図５の例では、重量ランクＬの「小」を指定する第１ＬＥＤ２４ｃが点灯している。
【００９３】
ステップＳ１４で、作業者は、点灯したランプに相当する馬鈴薯１個を、箱４０から取り出して、計量皿３１に載っている馬鈴薯に加える。Ｓ用の箱４０ａに取り付けた表示ユニット２０ａの第１ＬＥＤ２４ａが点灯している場合、Ｓ用の箱４０ａの中から作業者が主観で小さいと判断した馬鈴薯を１個取り出して加える。同様に、第２ＬＥＤ２５ａ、第３ＬＥＤ２６ａが点灯している場合、Ｓ用の箱４０ａから中くらい、大きいものをそれぞれ取り出して加え、第１ＬＥＤ２４ｂ、第２ＬＥＤ２５ｂ、第３ＬＥＤ２６ｂが点灯している場合、Ｍ用の箱４０ｂから小さい、中くらい、大きいものをそれぞれ取り出し、第１ＬＥＤ２４ｃ、第２ＬＥＤ２５ｃ、第３ＬＥＤ２６ｃが点灯している場合、Ｌ用の箱４０ｃから小さい、中くらい、大きいものをそれぞれ取り出して加える。
【００９４】
次に、ステップＳ１５では、追加された１個の馬鈴薯を含む計量皿３１に載置されて計量された馬鈴薯の重量が、所定重量範囲の上限及び下限に入っているか否かの上下限の判別を行い、ステップＳ１６では、適量であるか否かを判断し、適量であるときには、図６のメインフローに戻り、計量完了となり（ステップＳ１７）、１つの袋詰めが完了する。
【００９５】
適量でないときには、軽量であるか否かが判断され（ステップＳ１８）、軽量であるときには、軽量になった回数を計数するカウンタＴｕに１を加算して計数値を更新する（ステップＳ１９）。
【００９６】
次に、軽量であるので、ステップＳ２０では、載せ替えの指示を、例えば表示部１５で行い、作業者は、直前に載せた馬鈴薯１個を計量皿３１から降ろす。
【００９７】
次にステップＳ２１では、軽量になった回数を計数するカウンタＴｕの計数値が、予め設定した自然数であるａよりも大きいか否かを判断し、カウンタＴuの計数値が設定数ａよりも大きくないときには、ステップＳ１３に戻り、馬鈴薯１個を計量皿３１から降ろした状態で、再び、重量ランク及び相対重量ランクを指示する。設定数ａは、任意の設定できるが、例えば、数回程度が設定される。
【００９８】
ステップＳ２１で、カウンタＴuの計数値が設定数ａよりも大きいときには、指示されたランクよりも軽めの被計量物が、繰返し載せられているとして、ステップＳ２２に移り、指示されたランクが、最大のランク、すなわち、重量ランク「Ｌ」であって、相対重量ランク「大」であるか否かを判断し、最大のランクでないときには、指示する相対重量ランクを、重い方へ１ランク変更し、同時に、軽量になった回数を計数するカウンタＴｕ及び後述の過量となった回数を計数するカウンタＴｏの計数値を「０」にリセットし（ステップＳ２４）、ステップＳ１３に移り、相対重量ランクを、重い方へ１ランク変更したランクの指示を行う。
【００９９】
ステップＳ２２で、指示されたランクが最大のランクであるときには、例えば表示部１５にて現在計量皿３１に載っている被計量物を全て降ろすようにエラー表示を行い（ステップＳ２３）、図６のメインフローのステップＳ１に戻り、作業者は最初から計量をやり直す。
【０１００】
ステップＳ１８で、軽量でないときには、過量であるとしてステップＳ２５に移り、過量になった回数を計数するカウンタＴｏに１を加算して計数値を更新する。
【０１０１】
次に、過量であるので、ステップＳ２６では、載せ替えの指示を表示部１５で行い、作業者は、直前に載せた馬鈴薯１個を計量皿３１から降ろす。
【０１０２】
次にステップＳ２７では、過量になった回数を計数するカウンタＴｏの計数値が、予め設定した自然数であるａよりも大きいか否かを判断し、カウンタＴｏの計数値が設定数ａよりも大きくないときには、ステップＳ１３に戻り、馬鈴薯１個を計量皿３１から降ろした状態で、再び、重量ランク及び相対重量ランクを指示する。なお、軽量になった回数と過量となった回数は、いずれも同じ設定数ａと比較したけれども、異なる設定数としてもよい。
【０１０３】
ステップＳ２７で、カウンタＴｏの計数値が設定数ａよりも大きいときには、指示されたランクよりも重めの被計量物が、繰返し載せられているとして、ステップＳ２８に移り、指示されたランクが、最小のランク、すなわち、重量ランク「Ｓ」であって、相対重量ランク「小」であるか否かを判断し、最小のランクでないときには、指示する相対重量ランクを、軽い方へ１ランク変更し、同時に、軽量になった回数を計数するカウンタＴｕ及び過量となった回数を計数するカウンタＴｏの計数値を「０」にリセットし（ステップＳ３０）、ステップＳ１３に移り、相対重量ランクを、軽い方へ１ランク変更したランクの指示を行う。
【０１０４】
ステップＳ２８で、指示されたランクが最小のランクであるときには、表示部１５にて現在計量皿３１に載っている被計量物を全て降ろすようにエラー表示を行い、図６のメインフローのステップＳ１に戻り、作業者は最初から計量をやり直す。
【０１０５】
この実施形態の計量システムによると、所定重量範囲とするために必要な最後の１個の馬鈴薯が、その重量ランク及び相対重量ランクで指示されるので、作業者は、計量皿３１に所定重量範囲よりも少な目の馬鈴薯を大まかに載せ、指示された馬鈴薯を選択して載せるだけでよく、経験や勘に頼ることなく、容易に定量計量作業が行える。
【０１０６】
また、重量ランクの指示に従って馬鈴薯を追加しているのにも関らず、予め設定しておいた回数ａを超えて、指示されたランクよりも軽めの被計量物を選択することを繰り返すという作業者に対しては、相対重量ランクを重い方へ１ランク変更して指示し、逆に、指示されたランクよりも重めの被計量物を選択することを繰り返すという作業者に対しては、相対重量ランクを軽い方へ１ランク変更して指示するので、軽量や過量となって馬鈴薯の載せ替えが必要となる回数を低減して作業効率を高めることができる。
【０１０７】
更に、最後に追加する１個の馬鈴薯は、その重量に所定重量を加算した加算重量が属する重量ランク及び相対重量ランクによって指示するので、所定重量範囲の下限値を下回るのが抑制されて、載せ替えの回数が低減され、作業効率が向上する。
【０１０８】
（その他の実施形態）
表示ユニット２０のランプ２４、２５、２６はそれぞれ、ＲＧＢの３色ＬＥＤにて構成されており、ＲＧＢの組み合わせで数色に光るものであってもよい。ランプ２２の点灯回路２１に、電子秤１０からの点灯信号が入力されると、その指示に従って予め作業者との間で取り決めておいた色となるように３色ＬＥＤを点灯する。例えば箱４０の中から小さい馬鈴薯を選択する旨の指示は３色ＬＥＤを赤色に光らせ（Ｒのみ点灯）、中くらいを選択する旨の指示は青色に光らせ（Ｂのみ点灯）、大きいものを選択する旨の指示は黄色に光らせる（ＲとＧを点灯）。
【０１０９】
また、表示ユニット２０による表示の代わりに、“Ｌの大”“Ｍの小”等の音声で指示する音声ユニットであってもよい。この場合、被計量物のランク毎に設ける必要はなく１個設置すればよい。音声ユニットとしては、音声回路とスピーカを有し、音声回路は電子秤１０の制御部１２から制御信号が入力されると、その制御信号によって、予め記憶されているコメント文や電子音等をスピーカから出力させる。このような音声ユニットは、電子秤１０に兼用させてもよい。すなわち、図２の電子秤１０に音声回路とスピーカを内蔵させ、つまみにてボリュームを調整するようにしてもよい。
【０１１０】
さらに、表示ユニットと音声ユニットを組み合わせて、表示と音声の両方で指示するようにしてもよい。
【０１１１】
上述の実施形態では、被計量物としては、馬鈴薯に適用したけれども、被計量物は、農産物、海産物他、袋等に小分けにパック詰め等して販売するものであれば、どのような物品であってもよい。
【０１１２】
また、重量ランクは、上述のＳ，Ｍ，Ｌに限らず、ＳＳ，Ｓ，Ｍ，Ｌ，ＬＬ等、任意である。
【０１１３】
また、図７のステップＳ１９，Ｓ２５で軽量や過量とされた回数を作業者毎に累積しておき、その情報をパソコンに転送し作業者にフィートバックするようにしてもよい。
【産業上の利用可能性】
【０１１４】
本発明は、例えば、スーパーマーケット等の小売店で、仕入れた農産物等を店頭での販売用にある程度大きさを揃えて袋詰めする際の定量計量として有用である。
【符号の説明】
【０１１５】
１０  電子秤（計量装置）
１１  計量部
１２  制御部
１３  記憶部
１４  設定入力部
１５  表示部
１６  演算部
１７  指示制御部
１８  表示制御部
１９  コネクタ
２０  表示ユニット（指示手段）
２１  点灯回路
２２  ランプ
【図１】
2014102174.tif 000003
【図２】
2014102174.tif 000004
【図３】
2014102174.tif 000005
【図４】
2014102174.tif 000006
【図５】
2014102174.tif 000007
【図６】
2014102174.tif 000008
【図７】
2014102174.tif 000009